(57)【特許請求の範囲】
【請求項１】
ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は断面が三角形状であって、隣り合う支柱部材はそれぞれの一辺を平行に対向させ、かつ上記断面の中心が上記回動方向に対して同一直線上に位置するよう一列に配置されていることを特徴とするベッド用側柵装置。
【請求項２】
ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は断面が三角形状であって、隣り合う支柱部材はそれぞれの一辺を平行に対向させ、かつ上記断面の中心が上記回動方向と交差する方向に対して交互にずらして配置されていることを特徴とするベッド用側柵装置。
【請求項３】
上記支柱部材の断面形状は正三角形若しくは二等辺三角形であることを特徴とする請求項１又は請求項２記載のベッド用側柵装置。
【請求項４】
ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は、断面がＴ字状であって、隣り合う支柱部材は上記ベッド本体の幅方向に対して逆向きにして所定間隔で一列に配置されていることを特徴とするベッド用側柵装置。
【請求項５】
ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は、一対の側辺が逆方向に同じ角度で傾斜した断面形状の台形状であって、隣り合う支柱部材はそれぞれの側辺を平行に対向させ、かつ上記断面の中心が上記回動方向に対して同一直線上に位置するよう一列に配置されていることを特徴とするベッド用側柵装置。
【請求項６】
ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は、断面が円形状の第１の支柱部材と、上記回動方向に沿う長さがこの回動方向と交差する方向の長さよりも長い断面形状の第２の支柱部材を有し、上記第１の支柱部材と第２の支柱部材は、上記ベッド本体の長手方向に沿って交互に配置されるとともに、上記第１の支柱部材はその断面の中心を上記回動方向に対して同一直線上に位置するよう一列に配置され、上記第２の支柱部材はその断面の中心を上記第１の支柱部材の中心に対して上記回動方向と交差する方向にずらして一列に配置されていることを特徴とするベッド用側柵装置。
【発明の詳細な説明】
【技術分野】
【０００１】
この発明はベッド本体の側部に倒伏可能に設けられてストッパ機構によって起立状態で保持可能なベッド用側柵装置に関する。
【背景技術】
【０００２】
たとえば、介護用などのベッド装置においては、利用者や利用者が利用する寝具などがベッド本体上からずれ落ちるのを防止するため、ベッド本体の側部に側柵装置を設けることができるようにしている。側柵装置には種々の構成のものがあり、その１つとしてベッド本体の幅方向の側部に、その幅方向と交差する長手方向に沿って折り畳み可能な構成とすることが知られている。
【０００３】
上記構成の側柵装置は、ベッド本体の、たとえばサイドフレームに、着脱可能に取り付けられる下横部材を有する。この下横部材には複数の支柱部材の下端が長手方向に対して所定間隔で回動可能に連結されて設けられる。各支柱部材の上端は上部横部材に対して所定方向、つまりベッド本体の長手方向の一方向に対して回動可能に連結されている。
【０００４】
上記上部横部材には、上記支柱部材をほぼ垂直に起立させたとき、そのうちの１つの支柱部材の上端部に設けられた突起に係合し、複数の支柱部材を起立状態で倒伏不能、つまり上記一方向に対して回動不能に保持するストッパ機構が設けられている。
【０００５】
したがって、上記ストッパ機構を操作すれば、起立状態にある上記側柵を上記ベッド本体の長手方向に沿って回動させて倒伏させることができるようになっている。
【０００６】
ところで、上記構成の側柵装置においては、支柱部材を倒伏させた不使用時に、利用者の邪魔にならないようにするため、上記上部横部材の高さ、つまり折り畳み高さを低くするということが望まれている。
【０００７】
一方、側柵装置の支柱部材を起立させて保持した使用時においては、ベッド装置上の利用者が隣り合う支柱部材間の隙間に頭部などの身体の一部が入り込んで挟まれることがないようにするため、上記支柱部材をベッド本体の長手方向に対して狭い間隔で設けることが要求されている。
【０００８】
しかしながら、上記支柱部材をベッド本体の長手方向に対して狭い間隔で設けるようにすると、不使用時に側柵装置を倒伏させたとき、重なり合う支柱部材の数が多くなるから、側柵装置の折り畳み高さが高くなるということがある。
【０００９】
そこで、従来は側柵装置に、その回動方向に対して一列に設けられる複数の支柱部材のうち、少なくともいくつかを回動方向に対して扁平な形状とすることで、上記支柱部材をベッド本体の長手方向に対して狭い間隔で設けても、折り畳み時の側柵装置の高さを低くするようにしていた。
【先行技術文献】
【特許文献】
【００１０】
【特許文献１】特開２００９−１１８９７８号公報
【発明の概要】
【発明が解決しようとする課題】
【００１１】
ところで、複数の支柱部材のいくつかを回動方向に対して扁平な形状とすると、確かに折り畳み時の側柵装置の高さを低くすることができるものの、扁平な支柱部材は長手方向、つまり支柱部材の回動方向と直交する方向に対して加わる力に対しては十分な強度を有するものの、回動方向、つまり扁平方向に加わる外力に対してはその方向に湾曲し易いということがある。
【００１２】
そのため、隣り合う支柱部材間に利用者の頭部などの身体の一部が押し当てられたとき、少なくとも一方の支柱部材が扁平な場合、その扁平な支柱部材が扁平方向に湾曲し、隣り合う一対の支柱部材の間隔が拡がるという虞があったり、その支柱部材が変形してしまうなどのことがあった。
【００１３】
この発明は、隣り合う支柱部材の間隔を小さくしても、折り畳み時の側柵装置の高さを比較的低くすることができるとともに、支柱部材に外力が加わっても、その支柱部材が変形しない強度を備えることができるようにした側柵装置を提供することにある。
【課題を解決するための手段】
【００１４】
この発明は、ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は断面が三角形状であって、隣り合う支柱部材はそれぞれの一辺を平行に対向させ、かつ上記断面の中心が上記回動方向に対して同一直線上に位置するよう一列に配置されていることを特徴とするベッド用側柵装置にある。
【００１５】
この発明は、ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は断面が三角形状であって、隣り合う支柱部材はそれぞれの一辺を平行に対向させ、かつ上記断面の中心が上記回動方向と交差する方向に対して交互にずらして配置されていることを特徴とするベッド用側柵装置にある。
【００１６】
この発明は、ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は、断面がＴ字状であって、隣り合う支柱部材は上記ベッド本体の幅方向に対して逆向きにして所定間隔で一列に配置されていることを特徴とするベッド用側柵装置にある。
【００１７】
この発明は、ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は、一対の側辺が逆方向に同じ角度で傾斜した断面形状の台形状であって、隣り合う支柱部材はそれぞれの側辺を平行に対向させ、かつ上記断面の中心が上記回動方向に対して同一直線上に位置するよう一列に配置されていることを特徴とするベッド用側柵装置にある。
【００１８】
この発明は、ベッド本体の幅方向の側部に、この幅方向と交差する長手方向に倒伏可能に設けられたベッド用側柵装置であって、
上記ベッド本体の幅方向の側部に上記長手方向に沿って設けられる下部横部材と、
この下部横部材に所定間隔で下端が回動可能に連結された複数の支柱部材と、
複数の支柱部材の上端に回動可能に連結された上部横部材と、
上記支柱部材を起立させたときに上記上部横部材に対して複数の支柱部材を回動不能に保持するとともに、その操作によって上記支柱部材の保持状態を解除して回動方向に倒伏可能にするストッパ機構を具備し、
上記支柱部材は、断面が円形状の第１の支柱部材と、上記回動方向に沿う長さがこの回動方向と交差する方向の長さよりも長い断面形状の第２の支柱部材を有し、上記第１の支柱部材と第２の支柱部材は、上記ベッド本体の長手方向に沿って交互に配置されるとともに、上記第１の支柱部材はその断面の中心を上記回動方向に対して同一直線上に位置するよう一列に配置され、上記第２の支柱部材はその断面の中心を上記第１の支柱部材の中心に対して上記回動方向と交差する方向にずらして一列に配置されていることを特徴とするベッド用側柵装置にある。
【発明の効果】
【００２０】
この発明によれば、支柱部材の間隔を狭くしても、折り畳み時の高さ寸法を低くすることができるばかりか、支柱部材が利用者の身体などによって押圧されるなどして外力を受けても、変形し難い強度を備えることができる。
【図面の簡単な説明】
【００２１】
【図１】この発明の第１の実施の形態を示す側柵装置が設けられたベッド装置の一部を示す正面図。
【図２】図１に示す側柵装置の平面図。
【図３】図１に示す側柵装置の側面図。
【図４】側柵装置が起立したときの支柱部材の断面図。
【図５】側柵装置が折り畳まれたときの支柱部材の断面図。
【図６】この発明の第２の実施の形態を示す側柵装置が折り畳まれたときの支柱部材の断面図。
【図７】この発明の第２の実施の形態を示す側柵装置が折り畳まれたときの支柱部材の断面図。
【図８】この発明の第３の実施の形態を示す側柵装置が折り畳まれたときの支柱部材の断面図。
【図９】この発明の第４の実施の形態を示す側柵装置が折り畳まれたときの支柱部材の断面図。
【図１０】この発明の第５の実施の形態を示す側柵装置が折り畳まれたときの支柱部材の断面図。
【図１１】この発明の第６の実施の形態を示す側柵装置が折り畳まれたときの支柱部材の断面図。
【図１２】この発明の第７の実施の形態を示す側柵装置が折り畳まれたときの支柱部材の断面図。
【図１３】この発明の第８の実施の形態を示す側柵装置が折り畳まれたときの支柱部材の断面図。
【図１４】この発明の第９の実施の形態を示す側柵装置が折り畳まれたときの支柱部材の断面図。
【図１５】この発明の第１０の実施の形態を示す側柵装置が折り畳まれたときの支柱部材の断面図。
【発明を実施するための形態】
【００２２】
以下、この発明の実施の形態を図面を参照しながら説明する。
【００２３】
（第１の実施の形態）
図１乃至図５はこの発明の第１の実施の形態を示す。図１はベッド装置を構成するベッド本体１の長手方向の一端部を示す正面図である。このベッド本体１は、図示しない脚体によって所定の高さで支持された床部２、この床部２の長手方向の両端部に立設されたボード体３（一方のみを図示）によって構成されている。
【００２４】
上記ベッド本体１の上記床部２の幅方向の側部には側柵装置４が設けられている。この側柵装置４は上記床部２の幅方向端部の上面に着脱可能に取り付けられる下部横部材６を有する。
【００２５】
上記下部横部材６は上記床部２の長さ寸法の半分よりも短い長さ寸法であって、その外側の側面には所定間隔で複数、この実施の形態では５本の支柱部材７が下端を回動可能に連結して設けられている。複数の支柱部材７の間隔は、利用者の身体の頭部が入り込まない寸法、たとえば１２０ｍｍ以下に設定されている。
【００２６】
上記支柱部材７の上端は上部横部材９に回動可能に連結されている。この上部横部材９の上記ボード体３側に位置する一端部には後述するストッパ機構１１を構成するケース１２が取り付けられていて、複数の支柱部材７のうち、上記上部横部材９の一端側である、上記ボード体３側に位置する１本の支柱部材７は上記ケース１２を介して上記上部横部材９に枢着されている。
【００２７】
上記ストッパ機構１１の上記ケース１２内には、上記支柱部材７を起立方向に回動させたとき、上記支柱部材７の上端部に設けられた係合部に係合するストッパ（ともに図示せず）が設けられている。それによって、上記支柱部材７をほぼ垂直に起立した状態で倒伏不能に保持できるようになっている。
【００２８】
上記ケース１２の上面には図２に示す解除釦１３が設けられている。上記支柱部材７がほぼ垂直に起立した状態で、上記解除釦１３を押圧すると、図示しない上記ストッパが上記係合部から外れて、上記支柱部材７を図１に矢印で示す方向へ回動させ、上記上部横部材９とともに倒伏させることができるようになっている。つまり、側柵装置４を同図に鎖線で示すように折り畳むことができる。
【００２９】
上記支柱部材７は、図４と図５に示すように断面形状が正三角形の筒状で、３つの角部がアール部に形成されていて、隣り合う支柱部材７はそれぞれぞれの一辺ａが平行に対向するよう、上記ベッド本体１の幅方向に対して１８０度向きを違えている。
【００３０】
さらに、各支柱部材７は、それぞれの断面の中心（重心）Ｏが上記ベッド本体１の長手方向である、支柱部材７を起伏させるときの回動方向に対して同一直線Ｌ上に一列に位置するよう配置されている。つまり、各支柱部材７は、上記下部横部材６と上部横部材９に下端部と上端部がそれぞれ枢着されている。
【００３１】
上記支柱部材７はアルミニウムなどの金属を引き抜き加工して形成されているが、アルミニウムなどの金属ではなく、カーボンファイバーで補強された強化樹脂や金属などの補強芯がインサートされた樹脂によって成形するようにしてもよい。
【００３２】
図４は側柵装置４が起立しているときの複数の支柱部材７の断面図であって、図５は側柵装置４を倒伏させたときに複数の支柱部材７が重なり合った状態の断面図である。
【００３３】
上記支柱部材７は断面が正三角形状であるから、比較的小さな外径寸法であっても、大きな断面二次モーメントとすることができる。そのため、上記側柵装置４が起立しているとき、上記支柱部材７に利用者によって外力が加えられても、支柱部材７の断面形状が扁平な場合に比べて上記ベッド本体１の長手方向である、支柱部材７の回動方向や回動方向に対して直交する上記ベッド本体１の幅方向に対して変形し難い強度を備えている。
【００３４】
つまり、上記支柱部材７は、利用者によって加えられる外力でベッド本体１の長手方向及び幅方向に対して変形し難い強度を備えることができるから、変形によって隣り合う支柱部材７の間隔が広げられて利用者の身体の、たとえば頭部が入り込む、ということを防止することができる。
【００３５】
複数の支柱部材７は、断面が三角形状であって、隣り合う支柱部材７は一辺ａを平行に対向するようするよう逆向きにして一列に配置されている。そのため、図５に示すように支柱部材７を倒伏させたときの、隣り合う支柱部材７のＤで示す間隔を、隣り合う支柱部材７の向きを同じにして配置した場合よりも小さくできる。
【００３６】
したがって、上記支柱部材７を必要とされる強度を持たせるようにしても比較的小さな外径寸法とすることができるということと、隣り合う支柱部材７の一辺ａが平行に対向するよう隣り合う支柱部材７を逆向きに配置したことによって、側柵装置４を折り畳んだときに隣り合う支柱部材７の間隔Ｄを、同じ方向に向けて配置した場合よりも小さくすることができる。
【００３７】
それによって、側柵装置４を倒伏させたとき、図１にＨで示す側柵装置４の高さ寸法を低くすることができるから、利用者がベッド装置に載り降りするときに側柵装置４が邪魔になり難くすることができる。
【００３８】
（第２の実施の形態）
図６はこの発明の第２の実施の形態を示す、側柵装置４を折り畳んだときの支柱部材７Ａの断面図である。この第２の実施の形態は第１の実施の形態の変形例であって、支柱部材７Ａの断面形状が第１の実施の形態と同様、角部がアール部に形成された三角形状であるが、正三角形ではなく、二等辺三角形であるという点で異なっている。
【００３９】
支柱部材７Ａの断面形状が二等辺三角形であっても、第１の実施の形態と同様、利用者などが加える外力によって変形し難い強度を備えることができ、しかも倒伏時の図１に示す高さ寸法Ｈを低くすることができる。
【００４０】
（第３の実施の形態）
図７はこの発明の第３の実施の形態を示す、側柵装置４を折り畳んだときの支柱部材７Ａの断面図である。この第３の実施の形態は第２の実施の形態の変形例であって、支柱部材７Ａは断面形状で、角部がアール部に形成された正三角形であって、隣り合う支柱部材７Ａは向きを１８０度変えて配置することで、それぞれの一辺ａを平行に対向させている。
【００４１】
さらに、隣り合う支柱部材７Ａは断面の中心Ｏを支柱部材７の回動方向と直交する方向に対して交互にずらして配置されている。つまり、５本の支柱部材７Ａのうち、３本の支柱部材７Ａは中心Ｏが直線Ｌ１上に位置するよう一列に配置され、残りの２本の支柱部材７Ａは中心Ｏが直線Ｌ１よりもベッド本体１の幅方向外方に位置する直線Ｌ２上に位置するよう一列に配置されている。
【００４２】
このような構成であっても、上記第１、第２の実施の形態と同様の作用効果を得ることができる。
【００４３】
この第３の実施の形態において、支柱部材７Ａは正三角形でなく、二等辺三角形であってもよい。
【００４４】
なお、上記第１乃至第３の実施の形態において、上記支柱部材７の３つの角部のうちの、利用者の身体に触れ易いベッド本体１の幅方向内方と外方に位置する角部のアール部を、他の２つの角部のアール部よりも大きくしてもよい。そうすることによって、利用者の身体が触れたとき、利用者に柔らかな与える感触を与えることができる。
【００４５】
（第４の実施の形態）
図８はこの発明の第４の実施の形態を示す、側柵装置４を折り畳んだときの支柱部材７Ｂの断面図である。この第５の実施の形態の支柱部材７Ｂは、アルミニウムなどの金属を断面形状がＴ字状で、角部がアール部となるよう引き抜き加工などによって形成されていて、複数の支柱部材７Ｂは断面の中心Ｏがベッド本体１の長手方向に沿う直線Ｌ上に位置するよう一列に、しかも隣り合う支柱部材７Ｂが上記直線Ｌを中心Ｏにして１８０度向きを変えて配置されている。
【００４６】
このような構成によれば、支柱部材７Ｂの断面形状がＴ字状であることによって、比較的小さな外径寸法であっても、大きな断面二次モーメントとすることができるから、外力に対して変形し難い強度を備えることができる。
【００４７】
しかも、支柱部材７Ｂを比較的小さな外径寸法にできること、及び隣り合う支柱部材７Ｂが向きを１８０度変えて配置されていることによって、隣り合う支柱部材７Ｂの間隔Ｄを、隣り合う支柱部材７Ｃの向きを同じにした場合に比べて小さくできるから、側柵装置４を倒伏させたときの図１に示す高さ寸法Ｈを低くすることができる。
【００４８】
（第５の実施の形態）
図９はこの発明の第５の実施の形態を示す、側柵装置４を折り畳んだときの支柱部材７Ｃの断面図である。この第５の実施の形態の支柱部材７Ｃは、アルミニウムなどの金属によって断面形状が台形状で、角部がアール部となるよう引き抜き加工して形成されている。つまり、台形状の支柱部材７Ｃは、対向する一対の側辺ａが逆方向に同じ角度で傾斜する形状に形成されている。
【００４９】
そして、複数の支柱部材７Ｃは、中心Ｏがベッド本体１の長手方向に沿う直線Ｌ上に位置するよう一列に、しかも隣り合う支柱部材７Ｂは上記直線Ｌを中心にして向きを１８０度変えて配置することで、側辺ａを平行に対向させている。
【００５０】
このような構成によれば、支柱部材７Ｃの断面形状が台形状であるから、三角形状の場合とほぼ同様、小さな外径寸法であってもベッド本体１の長手方向及び幅方向に対して変形し難い強度、つまり比較的大きな断面二次モーメントを備えることができる。
【００５１】
しかも、隣り合う支柱部材７Ｃは中心Ｏを直線Ｌ上に位置させて一列に、しかも上記直線Ｌを中心にして向きを１８０度変えて配置されている。
【００５２】
そのため、起立状態における複数の支柱部材７Ｃの間隔を利用者の頭部などが入り込まないよう比較的小さくしても、倒伏時における隣り合う支柱部材７Ｃの側辺ａ間の間隔ｄを、同じ方向に向けた場合に比べて小さくできるから、全体の高寸法Ｈも低くすることができる。
【００５３】
（第６乃至第１１の実施の形態）
図１０はこの発明の第６の実施の形態を示す、側柵装置４を折り畳んだときの支柱部材の断面図である。この第６の実施の形態の側柵装置４は、第１の支柱部材７Ｄと第２の支柱部材７ｄによって構成されている。第１の支柱部材７Ｄは断面が円形となる筒状であって、第２の支柱部材７ｄは断面が長円形となる筒状に形成されている。
【００５４】
複数の第１の支柱部材７Ｄは、中心Ｏをベッド本体１の長手方向である、第１の支柱部材７Ｄの回動方向に沿って所定間隔で一列に、しかも同一の第１の直線Ｌ１上に位置させて配置されている。
【００５５】
複数の第２の支柱部材７ｄは、断面の長手方向を回動方向に沿わせて配置されるとともに、中心Ｏを上記第１の直線Ｌ１に対してベッド本体１の幅方向外方にずらし、しかも第２の支柱部材７ｄの短手方向の一部が第１の支柱部材７ｃ間に入り込むよう、上記第１の直線Ｌ１と平行な第２の直線Ｌ２上に位置させて配置されている。
【００５６】
図１１はこの発明の第７の実施の形態を示す、側柵装置４を折り畳んだときの支柱部材の断面図である。この第７の実施の形態の側柵装置４は第６の実施の形態の変形例である。この第７の実施の形態では、第６の実施の形態と同様、第１の支柱部材７Ｄは断面が円形の筒状であるが、第２の支柱部材７ｅの断面形状が蒲鉾形であるという点で異なり、上記第２の支柱部材７ｅは断面の長手方向を回動方向に沿わせるとともに、円弧面ｂをベッド本体１の幅方向内方に向けて配置されている。
【００５７】
なお、上記第２の支柱部材７ｅは隣り合う第１の支柱部材７Ｄ間に入り込むよう、中心Ｏを第２の直線Ｌ２上に位置させて配置されている。
【００５８】
図１２はこの発明の第８の実施の形態を示す、側柵装置４を折り畳んだときの支柱部材の断面図である。この第８の実施の形態の側柵装置４は第６の実施の形態の変形例であって、第２の支柱部材７ｆの断面形状が二等辺三角形であるという点で異なり、上記第２の支柱部材７ｆは長手方向を回動方向に沿わせるとともに、１つの頂部ｃをベッド本体１の幅方向内方に向け、しかも隣り合う第１の支柱部材７Ｄ間に入り込むよう配置されている。
【００５９】
図１３はこの発明の第９の実施の形態を示す、側柵装置４を折り畳んだときの支柱部材の断面図である。この第９の実施の形態の側柵装置４は第６の実施の形態の変形例であって、第２の支柱部材７ｇの断面形状が蒲鉾形に類似する多角形（６角形）状であるという点で異なり、上記第２の支柱部材７ｇは長手方向を回動方向に沿わせるとともに、平行な２つの辺のうちの短い方の一方の辺をベッド本体１の幅方向内方に向け、しかも隣り合う第１の支柱部材７Ｄ間に入り込むよう配置されている。
【００６０】
図１４はこの発明の第１０の実施の形態を示す、側柵装置４を折り畳んだときの支柱部材の断面図である。この第９の実施の形態の側柵装置４は第６の実施の形態の変形例であって、第２の支柱部材７ｈの断面形状が第１の支柱部材７Ｄよりも小径な円形であるという点で異なり、上記第２の支柱部材７ｈは径方向の一部を隣り合う第１の支柱部材７Ｄ間に入り込ませて配置されている。
【００６１】
図１５はこの発明の第１１の実施の形態を示す、側柵装置４を折り畳んだときの支柱部材の断面図である。この第９の実施の形態の側柵装置４は第１０の実施の形態の変形例であって、第２の支柱部材７ｉの断面形状が第１の支柱部材７Ｄよりも小径で、しかも第１０の実施の形態の第２の支柱部材７ｈよりも小径な円形であるという点で異なり、上記第２の支柱部材７ｉは中心Ｏが第１の支柱部材７Ｄの中心Ｏと同じ第１の直線Ｌ１上に位置するよう、隣り合う第１の支柱部材７Ｄ間に入り込ませて配置されている。
【００６２】
上述した第６乃至第１１の実施の形態においても、他の実施の形態と同様、第１の支柱部材７Ｄと第２の支持部材７ｄ〜７ｉを必要な強度を得るために比較的小さな外径寸法とすることができるから、外力によって変形し難い強度を得ることができるとともに、側柵装置４を折り畳んだときの高さＨを低くすることができるということがある。
【符号の説明】
【００６３】
１…ベッド本体、４…側柵装置、６…下部横部材、７，７Ａ〜７Ｄ，７ｄ〜７ｉ…支柱部材、９…上部横部材、１１…ストッパ機構。
【図１】
0005703253.tif 000002
【図２】
0005703253.tif 000003
【図３】
0005703253.tif 000004
【図４】
0005703253.tif 000005
【図５】
0005703253.tif 000006
【図６】
0005703253.tif 000007
【図７】
0005703253.tif 000008
【図８】
0005703253.tif 000009
【図９】
0005703253.tif 000010
【図１０】
0005703253.tif 000011
【図１１】
0005703253.tif 000012
【図１２】
0005703253.tif 000013
【図１３】
0005703253.tif 000014
【図１４】
0005703253.tif 000015
【図１５】
0005703253.tif 000016